(57)【要約】【課題】撮影者自身の撮影が容易な撮影装置を提供する。【解決手段】撮影装置１は、筐体３の第１面３１に配置された第１レリーズスイッチ６と、前記筐体３の前記第１面３１と異なる第２面３３に配置された第２レリーズスイッチと、前記筐体３の前記第１面３１及び前記第２面３３と異なる第３面３４に配置され、前記筐体３を一定角度で保持可能なスタンド２と、を備えることを特徴とする。【選択図】図１
2016151734.tif 000002
【特許請求の範囲】
【請求項１】
筐体の第１面に配置された第１レリーズスイッチと、
前記筐体の前記第１面と異なる第２面に配置された第２レリーズスイッチと、
前記筐体の前記第１面及び前記第２面と異なる第３面に配置され、前記筐体を一定角度で保持可能なスタンドと、
を備えること、を特徴とする撮影装置。
【請求項２】
請求項１に記載の撮影装置であって、
前記筐体は矩形で、
前記第２面には、前記正面の長手方向の中央から一方にずれた位置に設けられたレンズが配置され、
前記第２レリーズスイッチは、前記レンズよりも前記長手方向の他方における、短手方向の略中央部に配置されていること、
を特徴とする撮影装置。
【請求項３】
請求項１または２に記載の撮影装置であって、
前記撮影装置は、
前記筐体に対して互いに交差する２軸を中心して回転可能取り付けられた表示部を備えること、
を特徴とする撮影装置。
【請求項４】
請求項１から３のいずれか１項に記載の撮影装置であって、
前記第２面にはレンズが配置され、
前記レンズに入射した被写体の動作が一定の動作である場合に、撮影動作を行う制御部を備えること、
を特徴とする撮影装置。
【請求項５】
筐体の第１面に配置されたレンズと、
前記レンズに入射した被写体の動作が一定の動作である場合に、撮影動作を行う制御部と、
前記筐体における前記第１面の反対側の第２に配置され、前記筐体を一定角度で保持可能なスタンドと、
を備えること、を特徴とする撮影装置。
【請求項６】
筐体の、レンズが配置された第１面に配置されたレリーズスイッチと、
前記筐体の前記第１面と異なる第２面に配置され、前記筐体を一定角度で保持可能なスタンドと、
を備えること、を特徴とする撮影装置。
【発明の詳細な説明】
【技術分野】
【０００１】
本発明は、撮影装置に関するものである。
【背景技術】
【０００２】
カメラのレリーズスイッチは、一般に、撮影者が光軸を水平にして横長の画像を撮影する場合のカメラの位置において、撮影者から見てカメラ筐体上面の右側の位置に配置されている。また、背面に設けられた表示部がバリアングル構造を有しているカメラもある（例えば、特許文献１参照）。
このようなカメラで撮影者が自分撮りを行う際は、腕を伸ばしてカメラを自分から遠ざけ、表示部を介して撮影される画像を確認しつつ、上面のレリーズスイッチを押す。
【先行技術文献】
【特許文献】
【０００３】
【特許文献１】特開２０１１−３５７６６号公報
【発明の概要】
【発明が解決しようとする課題】
【０００４】
しかし、従来のレリーズスイッチの位置では、カメラの正面を自分側に向けると、撮影しにくいという問題があった。
【課題を解決するための手段】
【０００５】
本発明は、以下のような解決手段により前記課題を解決する。
請求項１に記載の発明は、筐体の第１面に配置された第１レリーズスイッチと、前記筐体の前記第１面と異なる第２面に配置された第２レリーズスイッチと、前記筐体の前記第１面及び前記第２面と異なる第３面に配置され、前記筐体を一定角度で保持可能なスタンドと、を備えること、を特徴とする撮影装置である。
なお、上記構成は、適宜改良してもよく、また、少なくとも一部を他の構成物に代替してもよい。
【図面の簡単な説明】
【０００６】
【図１】実施形態のカメラを示した図であり、（ａ）は正面図、（ｂ）は背面図である。
【図２】カメラを用いて自分撮りを行う場合の形態を示した図であり、（ａ）はカメラを手で持った状態、（ｂ）はスタンド部を利用してカメラを縦に起立させた状態、（ｃ）は横に起立させた状態である。
【図３】カメラのブロック図である。
【図４】カメラを手で持った状態で自分撮りをする場合のフローチャートである。
【図５】カメラを置いた状態で自分撮りをする場合のフローチャートである。
【発明を実施するための形態】
【０００７】
以下、図面等を参照して、本発明の実施形態について説明する。
図１は、実施形態のカメラ１を示した図であり、（ａ）は正面図、（ｂ）は背面図である。
図２は、実施形態のカメラ１を用いて自分撮りを行う場合の形態を示した図であり、（ａ）はカメラを手で持った状態、（ｂ）は後述のスタンド部２を利用してカメラ１を縦に起立させた状態、（ｃ）は横に起立させた状態である。
図３はカメラ１のブロック図である。
【０００８】
なお。図面には適宜、説明と理解を容易にするために、ＸＹＺ直交座標系を設けた。この座標系では、撮影者が光軸を水平として横長の画像を撮影する場合のカメラ１の位置（以下、正位置という，図２（ｂ）の状態）において撮影者から見て左側に向かう方向をＸプラス方向とする。
また、正位置において上側に向かう方向をＹプラス方向とする。
さらに、正位置において被写体に向かう方向（光軸方向）をＺプラス方向とする。
【０００９】
また、本明細書中で説明に用いる、カメラ１（筐体３）の上面３１、下面３２、正面３３、背面３４、右面３５、左面３６とは、図１（ｂ）に示す正位置の状態での方向に基づくものである。
上面３１はＹプラス側の面、下面３２はＹマイナス側の面、正面３３はＺプラス側の面、背面３４はＺマイナス側の面、右面３５はＸマイナス側の面、左面３６はＸプラス側の面である。
【００１０】
図１及び２に示すように、本実施形態のカメラ１は、筐体３と、表示部４と、上面レリーズスイッチ５と、スタンド部２と、正面レリーズスイッチ６と、レンズ７と、発光部１６と、を備える。
【００１１】
また、図３に示すようにカメラ１は、さらに、撮像素子８と、上面レリーズスイッチ５及び正面レリーズスイッチ６を含む操作部９と、画像処理部１０と、縦横検出部１１と、表示部位置検出部１２と、スタンド部位置検出部１３と、ジェスチャー検出部１４と、アニメーション表示制御部１７と、それらを総合的に制御する制御部１５と、を備える。
【００１２】
本実施形態で表示部４は、バリアングル液晶モニタであり、筐体３の背面３４の左面３６側に取り付けられており、撮影者は、表示部４の姿勢を変更可能である。
表示部４には、制御部１５の制御のもと、スルー画像、ライブビュー画像、メニュー画面、撮影後の画像などが表示される。
【００１３】
筐体３の背面３４には、表示部４を収納する収納部３ａが設けられ、表示部４が収納部３ａに収納された状態で、筐体３及び表示部４は、図１（ｂ）に示すように一体の矩形形状となる。
【００１４】
表示部４は、背面３４の左面３６側においてＹ方向に沿って延びるＹ１軸（図１（ｂ）に示す）を中心として回転可能である。表示部４は、Ｙ１軸回りに回転することにより、収納部３ａから開いた状態と、収納部３ａに収納された状態とに変更することができる。
また、表示部４は、Ｙ１軸回りに回転して開いた状態において、背面３４の長手方向中央部においてＸ方向に沿って延びるＸ軸を中心として回転可能である。表示部４は、Ｙ１軸回りに回転して開いた状態においてＸ軸を中心として回転させることにより、表示面４ａと裏面４ｂとを反転させることができる。
【００１５】
操作部９は、上面レリーズスイッチ５及び正面レリーズスイッチ６の他に、使用者によって操作される種々の入力部材、例えば電源スイッチ９ａ、ズームレバー９ｂなどを含む。
【００１６】
レンズ７は、不図示のフォーカシングレンズ、ズームレンズなど複数の光学系で構成され、撮像素子８の撮像面上に被写体像を結像させる。レンズ７は、筐体３の正面３３の左（Ｘプラス）側寄りに配置されている（図１（ｂ）での左右）。本実施形態でレンズ７は伸縮可能であり、最も短縮した状態で筐体３内に収納される。
【００１７】
上面レリーズスイッチ５は、筐体３の上面３１の右面３５寄り（Ｙプラス側の面のＸマイナス側）に配置されている。
上面レリーズスイッチ５は、２段階のスイッチで、浅く押したとき（半押し）、１段目のスイッチＳ１がオンになり、測光及び焦点検出、レンズ７の合焦位置への駆動等のレリーズ準備が行われる。そして、深く押したとき（全押し）、２段目のスイッチＳ２がオンになり、撮影が行われる。
【００１８】
正面レリーズスイッチ６は、筐体３の正面３３におけるＹ方向の中央部であって、Ｘ方向においては中央部よりもやや右面３５寄り（Ｘマイナス側）に配置されている。すなわち、レンズ７よりも右面３５寄りである。
正面レリーズスイッチ６も、２段階のスイッチで、浅く押圧したとき（半押し）、１段目のスイッチＳ１がオンになり、測光及び焦点検出、レンズ７の合焦位置への駆動等のレリーズ準備が行われる。そして、深く押したとき（全押し）、２段目のスイッチＳ２がオンになり、撮影が行われる。
なお、正面レリーズスイッチ６が動作されると、その間、上面レリーズスイッチ５は、動作しなくなる。
【００１９】
発光部１６は、２段目のスイッチがオンになったときに被写体の明るさに応じて、撮影時に照明光を発生する。なお、手が被った場合には発光しない仕組みとなっている。
【００２０】
スタンド部２は、筐体３の背面３４の右面３５側に取り付けられている。
スタンド部２は、図２（ｂ）、（ｃ）に示すように、筐体３の背面３４の右面３５側においてＹ方向に沿って設けられたＹ２軸を中心として回転可能である。
スタンド部２は、筐体３の背面３４に収納された状態（回転０°）と、収納された状態から６０°回転した状態と、８７°回転した状態と（図２（ｂ），（ｃ）の状態）で固定可能となっている。
【００２１】
スタンド部２を、６０°または８７°に回転して固定すると、図２（ｂ）に示すようにカメラ１を、右面３５を底面として縦にした状態で保持することができる。また、図２（ｃ）に示すようにカメラ１を、下面３２を底面として横にした状態でも保持することもできる。
【００２２】
撮像素子８は、例えばＣＭＯＳなどのイメージセンサであり、レンズ７により結像した被写体像を撮像して、画像信号を生成する。撮像素子８は、その画像信号を画像処理部１０へ出力する。
【００２３】
画像処理部１０は、撮像素子８から入力した画像信号に対して、補間や、階調変換、輪郭強調などの画像処理を行う部分である。
【００２４】
表示部位置検出部１２は、表示部４のＹ１軸を中心とした回転と、Ｘ軸を中心とした回転を検出して、検出結果を制御部１５に出力する。表示部位置検出部１２の検出情報は、制御部１５に出力され、表示部４の姿勢に応じて表示制御が行われる。
【００２５】
スタンド部位置検出部１３は、スタンド部２の開閉を検出して、検出結果を制御部１５に出力する。
【００２６】
縦横検出部１１は、撮影者がカメラ１を縦方向と横方向のどちらで構えているかを検出して、検出結果を制御部１５に出力する。
【００２７】
ジェスチャー検出部１４は被撮影者の撮影意思を示す所定のジェスチャーを検出した場合、検出結果を制御部１５に出力する。
【００２８】
アニメーション表示制御部１７は、表示部４にアニメーションを表示させる。
自分撮り撮影を行う場合、撮影者はバリアングルの表示部４を見て、自身の位置や姿を確認する。この際、目線は表示部４を向いているが、実際に撮影される場合、レンズ７に目線が向いているほうが好ましい。
この目線のズレを防ぐため、レンズ７に目線が向くようにアニメーションを表示部４に表示させる。
【００２９】
本実施形態においてアニメーションとは、レンズ７を見ることを、撮影者を含む被写体に促す矢印や文章である。
例えば、レンズ７の方向を示す矢印や、「下を見てください」等の表示である。また、レンズ７の外周にライトを設けて点滅させてもよい。さらに、子供用として下を見るように即す、漫画等であってよい。
【００３０】
制御部１５は、カメラ１を全体的に制御する。以下、カメラ１における、主に制御部１５の動作について説明する。
【００３１】
（手持ちで自分撮りをする場合）
図４は、手持ちで自分撮りをする場合の制御部１５の動作を示すフローチャートである。
制御部１５は、電源スイッチ９ａがオンになると、スルー画を表示部４に表示する（ステップＳ１）。
【００３２】
撮影者は、表示部４を、Ｙ１軸を中心として回転させて図２（ａ）に示すように略１８０°開いた状態にし、Ｘ軸を中心として回転させてレンズ７側に向ける。
撮影者が筐体３の右側（Ｘマイナス側）を持ってカメラ１を縦にすると、縦横検出部１１は、表示部４が縦方向になったことを検出する。
制御部１５は、縦横検出部の検出結果に基づき、表示部４の表示方向を制御する。この場合、縦横検出部１１は縦方向であることを検出するので、表示部４を縦方向に変化させる（ステップＳ２）。
【００３３】
その際、制御部１５は、レンズ駆動部７ａを介してレンズ７をワイド端に駆動する（ステップＳ３）。なお、ズーム位置は撮影者によるタッチパネル操作により、ワイド端以外に変更することも可能である。
また、腕の長さから顔までの距離に合わせてレンズ７（フォーカスレンズ）の位置を自動調整するようにしてもよい。
【００３４】
ここで、レンズ７が撮影者側に向いているので、撮影者の画像がスルー画像として表示される。
【００３５】
この際、制御部１５は顔認識も行う。顔認識はその他、画像再生時にも可能である。
制御部１５は、顔認識を行うと、表示部４にアイコンとして、顔全体と目、口を囲む枠を表示する。例えば撮影者が、目の枠をタッチすることでクマ軽減・ビックアイ・マスカラ・ホワイトアイ・アイシャドウ等の効果を適用することができる。
また、操作部９を介して所定の美白機能の設定をオンにすると、撮影中でも表示部４を見ながら顔の色合い等を変えることができる。
【００３６】
制御部１５は、撮影者が正面レリーズスイッチ６の１段目のスイッチＳ１を押すと（半押し）、レンズ７のフォーカスレンズをレンズ駆動部７ａを介して駆動してピントを調節する（ステップＳ４）。
この半押し時において制御部１５は、アニメーション表示制御部１７を介して視線を誘導するサインを表示する（ステップＳ５）。
制御部１５は、撮影者が２段目のスイッチＳ２を押すと（全押し）、撮像素子８により撮影者の写真を撮影する（ステップＳ６）。なお、制御部１５は、使用環境の光量を感知し、発光が必要な場合、発光部１６より照明光を発光する。なお、手が発光部１６を被った場合には発光しない。
【００３７】
（スタンド部によりカメラを置いて自分撮りする場合）
図５は、スタンド部２を立てて自分撮りをする場合の制御部１５の動作を示すフローチャートである。
手持ちの場合と同様に、制御部１５は、電源がオンになると、スルー画を表示部４に表示する（ステップＳ１１）。
【００３８】
撮影者は、表示部４を、Ｙ１軸を中心として回転させて図２（ｂ）、（ｃ）に示すように略１８０°開いた状態にし、Ｘ軸を中心として回転させてレンズ７側に向ける。
図２（ｂ）に示すように、縦長の状態にすると、縦横検出部１１は、表示部４が縦方向になったことを検出する。この場合、縦横検出部１１は縦方向であることを検出するので、制御部１５は、表示部４を縦方向に変化させる。
また、図２（ｃ）に示すように、横長の状態にすると、縦横検出部１１は、表示部４が横方向であることを検出する。この場合、縦横検出部１１は横向であることを検出するので、制御部１５は、表示部４を横方向に変化させる（ステップＳ１２）。
【００３９】
上述の手持ちの場合、制御部１５は、レンズ７をワイド端に駆動したが、スタンド部２を立てて自分撮りをする場合、撮影者とカメラ１との距離が手持ちの場合よりも離れている可能性が高い。
このため、制御部１５は、スタンド部２が開いたことを検出すると、手持ちの場合よりもテレ側に自動的にズームするようにする（ステップＳ１３）。
ズーム位置は、例えば撮影者によるジェスチャー操作等により、自由に変更可能としてもよい。
【００４０】
制御部１５は、レンズ７から入射した被写体光を撮像素子８により撮像し、表示部４にスルー画像として表示する。この際、レンズ７は撮影者側に向いているので、撮影者の画像がスルー画像として表示される
【００４１】
スルー画面には、例えば図２（ｂ）に示すように、カメラの印の撮影マーク１８を表示する（ステップＳ１４）。
【００４２】
撮影者は、撮影を希望する場合、表示部４の画面上で、手を撮影マーク１８に移動させる撮影ジェスチャーを行う。そうすると、ジェスチャー検出部１４は、その動作を検知する。
制御部１５は、ジェスチャー検出部１４が撮影ジェスチャーを検知すると、レンズ７のフォーカスレンズをレンズ駆動部７ａを介して駆動して合焦動作を行う。
それとともに、制御部１５は、アニメーション表示制御部１７を介して視線を誘導するサインを表示する。
その後、制御部１５は、手を戻す時間や視線を移動する時間を考慮して例えば２秒ほどの一定時間経過後、撮像素子８により被写体像（撮影者の自身の写真）を撮影する。
【００４３】
以上、本実施形態によると、以下の効果を有する。
（カメラを手に持って自分撮りする場合）
（１）本実施形態によると、カメラ１を手に持って自分撮りする場合、正面レリーズスイッチ６が正面３３のレンズ７の下のＹ方向の中央部にある。
このため、右手で筐体３を持った場合であっても、左手で筐体３を持った場合であっても、正面レリーズスイッチ６は親指で届く位置にある。
したがって、自分撮り撮影時に正面レリーズスイッチ６で不便さを感じることなく集中して撮影ができる。
【００４４】
（２）撮影時に視線がレンズ７を向かずに表示部４を向いていると、出来上がった写真における視線は、視線がずれた写真となる。
しかし、本実施形態によると、アニメーションにより視線がレンズ７側に誘導されるので、出来上がった写真における視線が、観察者方向を向いた写真を撮影することができる。
【００４５】
（３）スタンド部２の使用時は、撮影者がカメラ１から離れている可能性が高く、その場合、正面レリーズスイッチ６を押すことができない。しかし、本実施形態によると、撮影者のジェスチャーにより撮影が可能であるので、撮影者とカメラ１との距離が離れていても、シャッターを切ることが可能である。
【００４６】
（４）本実施形態によると、スタンド部２が設けられているので、別途三脚等を用いなくても、レンズ７を被写体に向けて配置することができ、カメラ１から離れて表示部４を観察しながら自分撮りをすることができる。
【００４７】
（５）本実施形態によると、スタンド部２の角度が２段階に調整可能なので、状況に応じて適切な角度を選択することができる。
【００４８】
顔認識結果及びバリアアングルの角度の位置から、撮影者に構図確認用の指標を表示する。その際に、ズームポジションなどの情報も用いて行う。
さらに、撮影者がカメラ１を手にもった時の手の状態を確認して、撮影者によって確認しやすいように指標を表示する。
【符号の説明】
【００４９】
１：カメラ、２：スタンド部、３：筐体、３ａ：収納部、４：表示部、４ａ：表示面、４ｂ：裏面、５：上面レリーズスイッチ、６：正面レリーズスイッチ、７：レンズ、７ａ：レンズ駆動部、８：撮像素子、９：操作部、９ａ：電源スイッチ、９ｂ：ズームレバー、１０：画像処理部、１１：縦横検出部、１２：表示部位置検出部、１３：スタンド部位置検出部、１４：ジェスチャー検出部、１５：制御部、１６：発光部、１７：アニメーション表示制御部、１８：撮影マーク、３１：上面、３２：下面、３３：正面、３４：背面、３５：右面、３６：左面
【図１】
2016151734.tif 000003
【図２】
2016151734.tif 000004
【図３】
2016151734.tif 000005
【図４】
2016151734.tif 000006
【図５】
2016151734.tif 000007